(57)【特許請求の範囲】
【請求項１】
大便標本自動検査器において、
大便標本を載せるための標本箱と、
自動制御装置と、
大便標本に定量の希釈液を供給するための希釈装置と、
希釈後の大便標本を撹拌し均一に混合するための撹拌・均一混合装置と、
計数盤を含む物理検査ユニットと、化学検査室を含む化学検査ユニットとを有し、大便標本を検査する検査ユニットと、
管路を介して前記検査ユニットに連接されたサンプル吸入及び洗浄装置であって、昇降可能なサンプル吸入針と、希釈液入口と、前記サンプル吸入針及び前記希釈液入口の間に接続されたサンプル吸入蠕動ポンプとを含み、前記計数盤及び前記化学検査室は、前記サンプル吸入針と前記サンプル吸入蠕動ポンプとの間に直列に接続され、前記サンプル吸入針が下降して前記標本箱内に挿入し且つ前記サンプル吸入蠕動ポンプが正転する時に、前記サンプル吸入針が大便標本を前記標本箱から吸出して検査のために前記検査ユニットに供給し、検査が完了した後、前記サンプル吸入蠕動ポンプが逆転して、前記希釈液入口から希釈液を吸出して前記検査ユニット及び連接用管路を洗浄し廃液を前記標本箱内に排出する、サンプル吸入及び洗浄装置と、
を含むことを特徴とする大便標本自動検査器。
【請求項２】
前記物理検査ユニットは、顕微鏡と、顕微鏡に取り付けられる顕微鏡カメラとをさらに含み、前記計数盤は、顕微鏡ステージに位置し、管路により前記サンプル吸入及び洗浄装置に連接されることを特徴とする請求項１に記載の大便標本自動検査器。
【請求項３】
前記計数盤の両端に１つの電磁ピンチオフバルブがそれぞれ設けられることを特徴とする請求項２に記載の大便標本自動検査器。
【請求項４】
前記サンプル吸入針は、第１昇降フレームに固定され、前記第１昇降フレームは、第１モーターにより駆動されることを特徴とする請求項２に記載の大便標本自動検査器。
【請求項５】
前記希釈装置は、前記希釈液入口に連通されるサンプル添加器を含み、前記サンプル添加器は、チェックバルブを介して前記サンプル吸入針に連通されることを特徴とする請求項２に記載の大便標本自動検査器。
【請求項６】
前記サンプル添加器は、注射器式サンプル添加器であることを特徴とする請求項５に記載の大便標本自動検査器。
【請求項７】
前記サンプル添加器は第２昇降フレームに連接され、前記第２昇降フレームは第２モーターにより駆動されることを特徴とする請求項６に記載の大便標本自動検査器。
【請求項８】
前記化学検査ユニットは、サンプル吸入針とサンプル蠕動ポンプとの間に連接される化学検査室を含むことを特徴とする請求項２に記載の大便標本自動検査器。
【請求項９】
前記化学検査室の片端が計数盤に連接され、他端が廃液蠕動ポンプに連接され、前記廃液蠕動ポンプは廃液針に連接されていることを特徴とする請求項２に記載の大便標本自動検査器。
【請求項１０】
前記化学検査室と計数盤との間に電磁ピンチオフバルブが設けられることを特徴とする請求項９に記載の大便標本自動検査器。
【請求項１１】
前記第１昇降フレームの下方に標本箱ホルダーが設けられ、前記標本箱が前記標本箱ホルダー上に置かれることを特徴とする請求項４に記載の大便標本自動検査器。
【請求項１２】
前記標本箱ホルダー側面に対向するビデオカメラをさらに含むことを特徴とする請求項１１に記載の大便標本自動検査器。
【請求項１３】
前記ビデオカメラの上方に標本箱識別光電スイッチが設けられることを特徴とする請求項１２に記載の大便標本自動検査器。
【請求項１４】
前記標本箱ホルダーは、ステップモーターにより駆動されるリニアガイドレールに取り付けられることを特徴とする請求項１１に記載の大便標本自動検査器。
【請求項１５】
前記撹拌・均一混合装置は、撹拌モーターを含み、前記標本箱内にはサンプル採取スクープが収容され、前記サンプル吸入針は、第１昇降フレームが下降する時に、標本箱内に挿入し、前記撹拌モーターは、サンプル採取スクープに同軸に連接されることを特徴とする請求項１１に記載の大便標本自動検査器。
【請求項１６】
前記自動制御装置に連接されるディスプレーをさらに含むことを特徴とする請求項１に記載の大便標本自動検査器。
【発明の詳細な説明】
【技術分野】
【０００１】
本発明は、医学検査装置に関し、具体的に大便標本自動検査器に関する。
【背景技術】
【０００２】
大便標本の検査、例えば大便のルーチン検査及び大便標本の一部分の化学検査では、現在使用されている方法はすべて比較的に立ち遅れている。１）標本の採集から標本の操作検査まで、及び最後の標本廃液処理も環境及び実験室の汚染を引き起こしており、２）伝染病の流行を予防するために、患者に対し使用される標本採集用綿棒や、標本を載せる物品に対しても特別な処理が必要であり、処理のステップが多ければ多いほど、汚染の発生する確率が高くなり、検査操作過程において不衛生でもあり、３）統一的且つ規範的報告様式がない。
【発明の概要】
【０００３】
本発明の解決しようとする問題点は、大便標本に対し自動的に定量希釈、検査を行うことができ、汚染の発生を避けるように検査が完了した後に洗浄を自動的に行うことができる検査器を提供することである。
【０００４】
前記問題点を解決するために、本発明は、大便標本自動検査器であって、自動制御装置と、大便標本に定量の希釈液を供給するための希釈装置と、希釈後の大便標本を撹拌し均一に混合するための撹拌・均一混合装置と、大便標本を検査するための検査ユニットと、管路を介して前記検査ユニットに連接され、大便標本を検査ユニットに供給し、且つ検査が完了した後に検査ユニット及び連接管路を洗浄するためのサンプル吸入及び洗浄装置とを含む大便標本自動検査器を提供する。
【０００５】
また、本発明によれば、前記検査ユニットは、物理検査ユニット及び化学検査ユニットを含むことが好ましい。
【０００６】
また、本発明によれば、前記物理検査ユニットは、顕微鏡と、顕微鏡に取り付けられる顕微鏡カメラと、顕微鏡ステージに位置する計数盤とを含み、前記計数盤は、管路により前記サンプル吸入及び洗浄装置に連接されることがより好ましい。
【０００７】
また、本発明によれば、前記サンプル吸入及び洗浄装置は、サンプル吸入針と、希釈液入口と、サンプル吸入針及び希釈液入口の間に連接されるサンプル吸入蠕動ポンプとを含み、前記計数盤は、サンプル吸入針とサンプル吸入蠕動ポンプとの間に連接されることが好ましい。
【０００８】
また、本発明によれば、前記計数盤の両端に１つの電磁ピンチオフバルブがそれぞれ設けられることが好ましい。
【０００９】
また、本発明によれば、前記サンプル注入針は第１昇降フレームに固定され、前記第１昇降フレームは、第１モーターにより駆動されることが好ましい。
【００１０】
また、本発明によれば、前記希釈装置は、前記希釈液入口に連通されるサンプル添加器を含み、前記サンプル添加器は、チェックバルブを介して前記サンプル吸入針に連通されることが好ましい。
【００１１】
また、本発明によれば、前記サンプル添加器は、注射器式サンプル添加器であることが好ましい。
【００１２】
また、本発明によれば、前記サンプル添加器は第２昇降フレームに連接され、前記第２昇降フレームは第２モーターにより駆動されることが好ましい。
【００１３】
また、本発明によれば、前記化学検査ユニットは、サンプル吸入針とサンプル蠕動ポンプとの間に連接される化学検査室を含むことが好ましい。
【００１４】
また、本発明によれば、前記化学検査ユニットは化学検査室を含み、前記化学検査室の片端が計数盤に連接され、他端が廃液針に連接された廃液蠕動ポンプに連接されることが好ましい。
【００１５】
また、本発明によれば、前記化学検査室と計数盤との間に電磁ピンチオフバルブが設けられることが好ましい。
【００１６】
また、本発明によれば、前記第１昇降フレームの下方に標本箱ホルダーが設けられることが好ましい。
【００１７】
また、本発明によれば、前記標本箱ホルダー側面に対向するビデオカメラをさらに含むことが好ましい。
【００１８】
また、本発明によれば、前記ビデオカメラの上方に標本箱識別光電スイッチが設けられることが好ましい。
【００１９】
また、本発明によれば、前記標本箱ホルダーは、ステップモーターにより駆動されるリニアガイドレールに取り付けられることが好ましい。
【００２０】
また、本発明によれば、前記標本箱ホルダー内に標本箱がさらに含まれることが好ましい。
【００２１】
また、本発明によれば、前記撹拌・均一混合装置は、撹拌モーターと、回転可能なサンプル採取スクープとを含み、前記サンプル採取スクープは標本箱内に位置し、前記サンプル注入針は、第１昇降フレームが下降する時に、標本箱内に挿入し、前記撹拌モーターは、サンプル採取スクープに同軸に連接されることが好ましい。
【００２２】
また、本発明によれば、前記自動制御装置に連接されるディスプレーをさらに含むことが好ましい。
【００２３】
本発明の自動制御装置は、希釈装置を制御して大便標本に対し自動的に定量希釈を行い、撹拌・均一混合装置を制御して標本を均一に混合し、サンプル吸入及び洗浄装置を制御して標本を管路を介して検査ユニットに供給し検査を行い、且つ検査が完了した後に検査ユニット及び連接管路を洗浄することができる。全過程が完全に比較的密閉の管路の中において行われるため、外部と接触するステップを減少させ、環境及び実験室に対する汚染を低減させ、コンピュータを使用して自動的制御を行うことにより仕事の効率を向上させた。
【図面の簡単な説明】
【００２４】
【図１】本発明の大便標本自動検査器の機能モジュールの構成を示す説明図である。
【図２】本発明の一実施例の管路連接を示す説明図である。
【図３】本発明の別の実施例の管路連接を示す説明図である。
【図４】本発明の前から見た構造を示す説明図である。
【図５】本発明の左から見た構造を示す説明図である。
【図６】本発明の一標本箱の構造を示す説明図である。
【００２５】
符号の説明
１１、サンプル添加器
１２、希釈液入口
１３、標本箱
１４、計数盤
１５、化学検査室
１６、サンプル吸入針
１７、廃液針
１８、サンプル吸入蠕動ポンプ
１９、廃液蠕動ポンプ
２１、第１管路Ｔ字管
２２、第２管路Ｔ字管
２３、第３管路Ｔ字管
２４、Ｔ字管路電磁ピンチオフバルブ
３２、チェックバルブ
３３、電磁ピンチオフバルブ
３４、電磁ピンチオフバルブ
３５、電磁ピンチオフバルブ
４１、第１昇降フレーム
４２、第２昇降フレーム
４３、リニアガイドレール
４４、標準回転ジョイント
５１、第１モーター
５２、第２モーター
５３、ステップモーター
５４、撹拌モーター
６１、標本箱フレーム
６２、標本箱識別用光電スイッチ
６３、ビデオカメラ
７、デイスプレー
８、顕微鏡
８１、顕微鏡カメラ
８２、顕微鏡ステージ
１３１、箱カバー
１３２、貫通孔
１３３、回転軸
１３４、サンプル採取スクープ
１３５、ろ過網
１３６、緩衝室
【発明を実施するための形態】
【００２６】
以下、図面を参照して本発明を詳細に説明する。
【００２７】
まず図１に示すように、本発明の大便標本自動検査器は、自動制御装置と、希釈装置と、撹拌・均一混合装置と、検査ユニットと、サンプル吸入及び洗浄装置となどの幾つかの部分を含む。前記希釈装置は、大便標本に定量の希釈液を加えることができるよう前記自動制御装置により制御され、前記撹拌・均一混合装置は、希釈後の大便標本を撹拌し、均一に混合することができるよう前記自動制御装置により制御され、前記検査ユニットは、大便標本に対し検査を行うのに用いられる。前記サンプル吸入及び洗浄装置は、管路を介して検査ユニットに連接され、大便標本を検査ユニットに供給し、且つ次回の検査を便利にするために検査が完了した後に検査ユニット及び連接管路を自動的に洗浄できるよう自動制御装置により制御される。前記検査ユニットは、物理検査ユニット及び化学検査ユニットを含んでもよい。前記自動制御装置は、コンピュータによって実現されてもよい。
【００２８】
図２に示すように、採集された大便標本は標本箱１３に載せされ、サンプル吸入針１６は標本箱１３に挿入され、サンプル添加器１１は管路を介して希釈液入口１２に連接され、サンプル添加器１１と希釈液入口１２との間にＴ字管路電磁ピンチオフバルブ２４及び第１管路Ｔ字管２１は設置され、サンプル吸入針１６は、第２管路Ｔ字管２２とチェックバルブ３２を介してＴ字管路電磁ピンチオフバルブ２４に連接される。Ｔ字管路電磁ピンチオフバルブ２４は、サンプル添加器１１及び希釈液入口１２を連通させると同時に、サンプル添加器１１とサンプル吸入針１６との間の管路を切断することができ、サンプル添加器１１は希釈液入口１２から定量の希釈液を吸い取ることができ、その後、Ｔ字管路電磁ピンチオフバルブ２４は、動作が切り替り、サンプル添加器１１と希釈液入口１２との間の管路を切断すると同時に、サンプル添加器１１とサンプル吸入針１６の間の管路を連通させ、サンプル添加器１１は押圧され、希釈液はチェックバルブ３２及びサンプル吸入針１６を経て標本箱１３内に注入され、大便標本に対する定量希釈を完成させる。希釈装置は、希釈液入口１２、Ｔ字管路電磁ピンチオフバルブ２４、サンプル添加器１１、チェックバルブ３２、サンプル吸入針１６及びそれらを連接する管路により構成される。
【００２９】
サンプル吸入蠕動ポンプ１８の片端が第１管路Ｔ字管２１を介して希釈液入口１２と連通し、他端が管路及び第２管路Ｔ字管２２を介してサンプル吸入針１６と連接することにより、サンプル吸入及び洗浄装置は構成される。物理検査ユニットの計数盤１４及び化学検査ユニットの化学検査室１５は、サンプル吸入針１６とサンプル吸入蠕動ポンプ１８との間に直列に接続される。サンプル吸入蠕動ポンプ１８が正転する時、標本液は、物理・化学検査が行われるよう、サンプル吸入針１６により標本箱１３から吸出され、計数盤１４及び化学検査室１５に流入する。電磁ピンチオフバルブ３３、３４は、計数盤１４の両端にそれぞれ設けられ、閉められている時に、顕微鏡で観察及び計数が行われるように計数盤内の標本液を可能な限り速やかに安定させることができる。また、計数盤が逆洗される時に、電磁ピンチオフバルブ３３、３４は、反復して開かれたり閉められたりして、管路内の圧力を増加させ、洗浄の効果を増強させることができる。検査が完了した後、サンプル吸入蠕動ポンプ１８は逆転し、希釈液は管路に沿って流入し、計数盤１４、化学検査室１５、及びサンプル吸入針１６は洗浄され、洗浄後の廃液は、集中的に処理されるようにサンプル吸入針１６から標本箱１３内に流入する。チェックバルブ３２の作用により、廃液が希釈管路に流入し汚染をもたらすことを避けることができる。
【００３０】
図３は本発明の別の実施例を示す図であり、図２と以下の点で異なっている。化学検査室１５は、計数盤１４とともにサンプル吸入及び洗浄管路に直列に連接されず、片端が電磁ピンチオフバルブ３５及び第３管路Ｔ字管２３を介して計数盤１４に連接され、他端が廃液蠕動ポンプ１９に連接される。さらに、廃液蠕動ポンプ１９は、廃液針１７に連接され、廃液針１７も標本箱１３に挿入される。電磁ピンチオフバルブ３５が閉められている時に、標本液は、計数盤１４のみに流入し、物理検査が行われる。もし化学検査が必要である場合、電磁ピンチオフバルブ３３が閉められ、且つ電磁ピンチオフバルブ３４、３５が開かれている状況において、サンプル吸入蠕動ポンプ１８及び廃液蠕動ポンプ１９を起動させ、化学検査が行われるように標本液をさらに化学検査室１５に送ることができる。化学検査室１５にケーシングを有する試験ストリップを入れることができ、標本は自動的に試験ストリップに提供される。検査が完了した後、引き続きサンプル吸入蠕動ポンプ１８及び廃液蠕動ポンプ１９を起動させ、希釈液により計数盤１４及び化学検査室１５に対し洗浄は行われ、廃液は廃液針１７から標本箱１３に流入し、さらに電磁ピンチオフバルブ３３は開かれ、サンプル吸入針１６に対して洗浄も行われる。サンプル吸入蠕動ポンプ１８は正転する時に、標本を計数盤１４に吸入させ、逆転する時に、計数盤１４、化学検査室１５及び管路に対する洗浄を行わせ、その動作時間及び回転速度を調節することができる。
【００３１】
図６に示すように、サンプル吸入針１６及び廃液針１７が挿入される貫通孔１３２と、回転軸１３３とが設けられた箱カバー１３１を標本箱１３に設けてもよい。回転軸１３３は、箱カバーに対し回転可能に設けられ、上端がモーターに連接され、下端がサンプル採取スクープ１３４に連接されてもよい。サンプル採取スクープ１３４は、大便標本を採集し標本箱に載せることができ、また希釈液が加えられた後、モーターが回転軸１３３を連動させる時に撹拌し均一に混合するのに用いられる。箱内の空間を上室と緩衝室１３６である下室とに隔てるろ過網１３５は標本箱１３に設けられる。サンプル吸入針１６は、緩衝室１３６に挿入され、ろ過後の標本液を吸い取ることができる。
【００３２】
図４、図５に示すように、本発明は、サンプル吸入針１６と、廃液針１７と、撹拌モーター５４に連接される標準回転ジョイント４４とが何れも取り付けられた第１昇降フレーム４１をさらに含む。第１昇降フレーム４１は、第１モーター５１により駆動され、標準回転ジョイント４４、サンプル吸入針１６及び廃液針１７を昇降させ、一方では、サンプル吸入針１６及び廃液針１７を標本箱１３に挿入させ、予め設定された作業位置に到達させ、他方では、撹拌モーター５４がサンプル採取スクープ１３４を連動させ、撹拌・均一混合を行うように標準回転ジョイント４４を標本箱の箱カバーにおける回転軸と接合させる。これにより、撹拌モーター５４及びサンプル採取スクープ１３４は撹拌・均一混合装置を構成する。
【００３３】
サンプル添加器１１として、注射器式サンプル添加器が使用される。サンプル添加器１１のピントルは、第２昇降フレーム４２に連接され、希釈液が吸入され或いは押し出されるように、第２昇降フレーム４２により引出され或いは押付けられる。第２昇降フレーム４２は、第２モーター５２により駆動される。第２モーター５２は、光電スイッチの制御により動作し、位置を限定する。
【００３４】
標本箱１３は、標本箱フレーム６１上に置かれる。標本箱フレーム６１は、試験管ホルダーに相当し、第１昇降フレーム４１の下方に位置し、複数の標本箱１３を載せることができる。標本箱フレーム６１は、ステップモーター５３により駆動されるリニアガイドレール４３上に置かれる。リニアガイドレール４３は、標本箱フレーム６１を固定させ、標本箱フレーム６１を連動させることができ、その動作回数及び毎回の移動距離が厳密に制限され、プログラムの制御により動作し、且つ到着した位置を検証する光電スイッチが設けられる。
【００３５】
ビデオカメラ６３は、標本箱フレーム６１の近くに取付けられ、標本箱フレーム６１の側面に対向し、自動制御装置（コンピュータ）と接続され、標本の希釈或いは撹拌作業の状態を観察するのに用いられると同時に、標本の形状及びカラーを観察することができる。標本箱識別用光電スイッチ６２は、ビデオカメラ６３の上方に設けられ、標本箱の箱カバーに対向し、標本箱を識別するのに用いられる。リニアガイドレール４３が標本箱フレーム６１を連動させる時に、標本箱識別光電スイッチ６２は動作し、標本箱フレーム６１上に標本箱の有無、標本箱の数、及び標本箱の標本箱フレーム６１における位置を走査する。本機器は、標本箱識別用光電スイッチ６２が提供した走査データにより、自動的に操作を行う。もし標本箱識別用光電スイッチ６２が標本箱の信号を検出していない場合は、次のステップの検査操作を行う必要がない。
【００３６】
ディスプレー７は、自動制御装置（コンピュータ）に接続され、プログラム操作を行うことができ、且つビデオカメラ６３が採集したビデオ信号を表示できる。
【００３７】
物理検査ユニットは、顕微鏡８、顕微鏡に取付けられる顕微鏡カメラ８１及び計数盤１４を含む。計数盤１４は、観察、計数が顕微鏡により行われるように顕微鏡ステージ８２上に位置し、顕微鏡カメラ８１が採集した画像もディスプレー７に表示される。
【００３８】
本発明が使用される際に、まず総電源が入り、標本箱１３は、標本箱フレーム６１に載せられ、標本箱フレーム６１が標本箱ホルダー窓口から機器内に押し入れられることにより、１つのスイッチがオンにされ、ステップモーター５３は直ちに正転し、リニアガイドレール４３を正方向に連動させる。正転の終点に到着した後、正方向移動は直ちに停止し、反対方向移動は開始する。この時、標本箱識別用光電スイッチ６２は動作し、標本箱フレーム６１上に標本箱１３の有無を検出する。標本箱１３が検出されていない場合、直ちに告知ダイアログボックスが表示され、標本箱１３を入れることを提示する。また、標本箱１３が検出された後、引き続き次のステップの操作が行われる。リニアガイドレール４３は、標本箱フレーム６１上の第１個の標本箱がその上方にある第１昇降フレーム４１上のサンプル吸入針１６、廃液針１７及び標準回転ジョイント４４と一直線になる位置でストップする。この時に、ビデオカメラ６３は、例えば、標準回転ジョイント４４が標本箱の箱カバー上の開口部と一直線になっているかのような機器の動作状況を観察するよう接続される。
【００３９】
第１モーター５１は正転し、第１昇降フレーム４１を下方へ連動させ、同時に撹拌モーター５４は低速度で回転し、第１昇降フレーム４１は、サンプル吸入針１６、廃液針１７、及び標準回転ジョイント４４を標本箱１３内の予め設定された位置に挿入させるよう移動する。サンプル吸入針１６は、標本箱１３内のろ過網を通して緩衝室内に入る。同時に、標準回転ジョイント４４は標本箱の回転軸と噛合される。第２モーター５２は正転し、第２昇降フレーム４２を下方へ連動させ、注射器式であるサンプル添加器１１のピントルを引き出せることにより、希釈液が吸入される。この過程は、サンプル添加器１１が希釈液を吸入する過程である。
【００４０】
以下、図３を参照してさらに説明する。Ｔ字管路電磁ピンチオフバルブ２４は、内部通路を切替え、第２モーター５２は逆転し、第２昇降フレーム４２は上方へ移動し、希釈液はチェックバルブ３２、第２管路Ｔ字管２２及びサンプル吸入針１６を介して標本箱１３内に流入し、管路を充填する。この過程は、標本箱に希釈液を供給させる過程である。
【００４１】
その後、撹拌モーター５４は、標準回転ジョイント４４を予め設定された速度で正方向、反対方向に回転させ、予め設定された回転時間で管内のサンプル採取スクープを回転させるよう回転することにより、標本箱１３内の標本は均一に混合される。
【００４２】
その後、サンプル吸入蠕動ポンプ１８は正転し、希釈され且つ均一に混合された標本は、サンプル吸入針１６、第２管路Ｔ字管２２、第３管路Ｔ字管２３を介して計数盤１４内に注入され、吸入された標本液は、後ろの電磁ピンチオフバルブ３４の位置でストップする。サンプルの吸入が完了した後、計数盤１４の両側に位置する電磁ピンチオフバルブ３３及び電磁ピンチオフバルブ３４を閉めさせることにより、シリカゲル管路がピンチオフされ、顕微鏡が便利に検査を行うよう計数盤１４内のサンプルを迅速に静止させる。計数盤１４とサンプル吸入蠕動ポンプ１８との間の連接管路が十分に長いため、標本がサンプル吸入蠕動ポンプ１８を経て希釈液に吸入されることはない。この過程は、検査のために、希釈され且つ均一に混合された標本液を計数盤１４内に注入させる過程である。
【００４３】
この時、撹拌モーター５４の動作が停止する。その後、ディスプレーは、顕微鏡検査を開始させることを提示し、操作者は当該ボタンをクリックすれば、機器内の顕微鏡が動作する。顕微鏡カメラは、顕微鏡検査画像をコンピュータのディスプレーに送り、１つの視野の観察及び結果入力が完了した後、操作者はソフトウエアのボタンを押すことにより操作を行い、「手動でサンプルを入れる」というボタンをクリックすることができる。サンプル吸入蠕動ポンプ１８は正転し、電磁ピンチオフバルブ３３及び電磁ピンチオフバルブ３４は開かれ、標本液が少量で吸入され、今回の操作が１秒のみ持続した後、サンプル吸入蠕動ポンプ１８の動作は停止し、電磁ピンチオフバルブ３３及び電磁ピンチオフバルブ３４が再び閉められ、管路がピンチオフされた後、操作者は顕微鏡検査の観察結果を入力する。前記過程は最大限に４回行われることができ、操作者は、視野を転換するために顕微鏡ステージの移動を制御することができる。この過程は、顕微鏡で標本液を検査する過程である。
【００４４】
顕微鏡検査が完成された後、患者の標本に対し潜血などの必要な化学検査を行うような要求が化学検査シートに記載されれば、さらに標本液に対し化学検査を行う必要がある。操作者はソフトウエアの「化学検査」というボタンをクリックする。その後、電磁ピンチオフバルブ３４は開かれ、電磁ピンチオフバルブ３３は閉められ、サンプル吸入蠕動ポンプ１８は逆転し、標本液を計数盤１４、第３管路Ｔ字管２３を介して化学検査室１５に送る。この時、操作者は、機器の前面パネルにおけいる試験ストリップケーシングの入り口に試験ストリップのケーシングを入れ、再び「化学検査」というボタンをクリックすれば、サンプル吸入蠕動ポンプ１８が逆転し、標本液が試験ストリップのケーシングに流入し、ケーシングを取出し、観察結果を待ち、当該操作は４回行われてもよい。
【００４５】
顕微鏡検査及び化学検査が完成した後、操作者は「プリント」というボタンを押せば、機器は洗浄ステップを行う。まず化学検査管路は洗浄され、サンプル吸入蠕動ポンプ１８は、希釈液が第１管路Ｔ字管２１、サンプル吸入蠕動ポンプ１８、計数盤１４、第３管路Ｔ字管２３、化学検査室１５を通して洗浄を行うよう逆転すると同時に、廃液蠕動ポンプ１９は、廃液が化学検査室１５、廃液蠕動ポンプ１９、廃液針１７を通して標本箱１３内に排出されるよう正転する。
【００４６】
洗浄が完了した後、廃液蠕動ポンプ１９の動作は停止し、サンプル吸入蠕動ポンプ１８は正転し、化学検査室１５、第３管路Ｔ字管２３の中の希釈液を完全に排出させ、その後、電磁ピンチオフバルブ３５は閉められ、管路をピンチオフさせ、サンプル吸入蠕動ポンプ１８は逆転して、希釈液は第１管路Ｔ字管２１、サンプル吸入蠕動ポンプ１８、計数盤１４、第３管路Ｔ字管２３、第２管路Ｔ字管２２、サンプル吸入針１６を通して標本箱１３内に排出されると同時に、計数盤１４に対し洗浄を行う。この過程において、もし操作異常が生じれば、機器は自動的にアラームダイアログボックスを表示する。この過程において、電磁ピンチオフバルブ３３、３４は、作業が１秒する毎に半秒停止し、反復して開かれたり閉められたりし、この方法を用いて洗浄される管路内の圧力を増加させ、洗浄の効果を増強させる。
【００４７】
上述した過程は、１つの標本箱に対する検査し、機器に対し洗浄する過程である。
【００４８】
洗浄が完成した後、第１昇降フレーム４１は上方へ移動し、目的位置に到着した後、注射器式サンプル添加器１１は再び希釈液を吸入し、リニアガイドレール４３は、標本箱識別用光電スイッチ６２が入力した信号に基づいて次の標本箱の位置に位置付けられ、次の標本に対し同一の操作が行われる。１つの標本箱フレーム６１上のあらゆる標本に対する操作が完了した後、機器は、標本箱フレーム６１を予め設計された位置に移動させ、待機状態になり、検査報告をプリントする。
【００４９】
もし化学検査シートに化学検査項目がなければ、操作者は顕微鏡検査の入力が完成した後、直接「プリント」というボタンを押すことができ、機器は計数盤１４に対する洗浄ステップに入り、その後の操作は同じである。
【００５０】
本発明のモーターの動作や動作時間、回転方向は、何れもソフトウエアにより制御され、用いられた回路原理は公知技術である。 
【図１】
0005384671.tif 000002
【図２】
0005384671.tif 000003
【図３】
0005384671.tif 000004
【図４】
0005384671.tif 000005
【図５】
0005384671.tif 000006
【図６】
0005384671.tif 000007